(57)【特許請求の範囲】
【請求項１】
比較的軟質な合成樹脂材で肉薄に成形した壜本体（１）の肩部（２）、胴部（３）および底部（４）の中心軸に対して軸対称に、かつ該肩部（２）、胴部（３）および底部（４）の縦方向全周にわたって、段状の反転ライン（５）を連続して設け、
該反転ライン（５）から片側半分である大径部（６）の肩部（２）部分に口筒部（１１）を立設し、更に該大径部（６）の胴部（３）部分の外側略全体にラベル（７）を貼り付け、該大径部（６）を比較的硬質な半殻部（８）に形成し、
前記反転ライン（５）から他方側半分である小径部（９）を、前記大径部（６）よりもやや小径で、かつ弾性反転変形可能な反転部（１０）に形成し、これにより、該反転部（１０）全体を、前記半殻部（８）内に容易に陥没変形可能で、かつ原形に復元可能に構成して成る合成樹脂製壜体。
【請求項２】
反転ライン（５）を、傾斜した段状にした請求項１に記載の合成樹脂製壜体。
【請求項３】
ラベル（７）を、紙製の肉厚かつ硬質物とした構成した請求項１または２に記載の合成樹脂製壜体。
【発明の詳細な説明】
【０００１】
【発明の属する技術分野】
本発明は、容易に減容化変形可能で、かつ原形に復元して使用できるように構成した合成樹脂製壜体に関するものである。
【０００２】
【従来の技術】
各種の液状内容物の容器として、ブロー成形もしくは２軸延伸ブロー成形手段により成形された合成樹脂製壜体が多用されている。
【０００３】
【発明が解決しようとする課題】
しかしながら、この合成樹脂製壜体は、軽量であるという利点を有している反面、嵩張って占有スペースが大きいため、容器メーカーで成形されてから商品メーカーに納入され、内容液を充填されるまでの過程において、その保管コストや輸送コストが高くなっており、また、その取り扱いも面倒になっている、と云う問題があった。
【０００４】
また、使用後においては、その廃棄処理を容易にするために、通常、手や足で偏平に押し潰して減容化変形させているが、この押し潰しを誰でもが簡単にかつ確実に行なうことができるとは限らない、と云う問題があった。
【０００５】
なお、この廃棄時における壜体の押し潰しを容易にすることを目的とした技術として、実開昭６０−７５２１２号公報記載のものがある。
【０００６】
この公報記載の合成樹脂製壜体は、胴部の軸対称位置に一対の縦リブを設けると共に、この縦リブに続いて、肩部および胴部下端部に向かう円弧状リブを連設して構成されており、廃棄時には、このリブで囲まれた部分を押圧して陥没変形させることにより、減容化を図るものである。
【０００７】
しかしながら、この従来技術にあっては、陥没変形する部分は肩部から胴部下端部までであって、口筒部と底部は原形のままであるため、全体を充分に偏平状に潰れ変形させることができない、と云う問題があり、また、廃棄時の押し潰しを目的としたものであるため、一旦陥没変形した部分を原形に復元させることはほとんど不可能であった。
【０００８】
そこで、本発明は、上記した従来技術における問題点を解消すべく創案されたもので、合成樹脂製壜体を容易に、かつ充分偏平に、そして復元可能に減容化変形できるようにすることを技術的課題とし、もって成形されてから内容液充填までの過程および廃棄処理過程における取扱いを容易で効率の良いものとし、コストを低減させることを目的とする。
【０００９】
【課題を解決するための手段】
上記技術的課題を解決するため、本発明は合成樹脂製壜体を次のように構成した。
１、比較的軟質な合成樹脂材で肉薄に成形した壜本体の肩部、胴部および底部の中心軸に対して軸対称に、かつ該肩部、胴部および底部の縦方向全周にわたって、段状の反転ラインを連続して設け、
該反転ラインから片側半分である大径部の肩部部分に口筒部を立設し、更に該大径部の胴部部分の外側略全体にラベルを貼り付け、該大径部を比較的硬質な半殻部に形成し、
前記反転ラインから他方側半分である小径部を、前記大径部よりもやや小径で、かつ弾性反転変形可能な反転部に形成し、これにより、該反転部全体を、前記半殻部内に容易に陥没変形可能で、かつ原形に復元可能に合成樹脂製壜体を構成した。
【００１０】
容器メーカーで成形された壜体は、反転部を内方へ押圧することにより反転ラインから反転させて、反転部全体を半殻部内に陥没減容化変形させる。
【００１１】
これにより、肩部、胴部と共に、底部も略半分が陥没変形し、また口筒部は半殻部側に設けてあるので、壜体全体は充分偏平に減容化し、以後、この減容化させた状態で取扱い、商品メーカーに納品する。
【００１２】
商品メーカーにおいては、陥没変形している反転部を空圧等により外方へ反転させて、成形時の原形に復元させた後、内容液を充填して商品に供するか、または、減容化している壜体に直接内容液を注入して、陥没変形している反転部を外方へ反転させ、そのまま内容液を充填して商品に供する。
【００１３】
壜体の使用後の廃棄時においては、再び反転部を陥没減容化変形させ、廃棄処理を行なう。
【００１４】
２の発明は、１の発明における反転ラインを、傾斜した段状にしたものである。
【００１５】
この２の発明においては、反転ラインが、傾斜した段状構造であるので、反転変形がし易く、その分、反転部の陥没変形および復帰変形がし易いと共に、永久変形を生じることなく反転変形するので、変形により外観体裁が劣化することがない。
【００１６】
３の発明は、１の発明に、ラベルを、紙製の肉厚かつ硬質物として構成した、ことを加えたものである。
【００１７】
この３の発明においては、半殻部の剛性が充分に高められて、高い自己形状保持力を発揮することになるので、減容化および復容化時の壜体形状が安定して一定したものとなり、またラベルを骨材として機能させることにより、壜本体の肉薄化が無理なく促進できることになる。
【００１８】
【発明の実施の形態】
以下、本発明の一実施例を、図面を参照しながら説明する。
壜本体１は、適宜の比較的軟質な合成樹脂材料のブロー成形等により、肉薄にかつ全体の平面形状が略長円形状になるように成形されていると共に、その長軸を堺にした片側の肩部２部分に、円筒形状の口筒部１１が立設されている。
【００１９】
この壜本体１の軸対称位置である長軸上の位置には、肩部２、胴部３および底部４の縦方向全周に亘って、傾斜段状の反転ライン５が連設されている。
【００２０】
この反転ライン５から片側（前側）半分である大径部６の肩部２部分に口筒部１１が立設されており、これにキャップ１２が着脱可能に取り付けられる。
【００２１】
そして、この大径部６の胴部３部分の略全体に、インサート成形あるいは貼着等の手段により、紙製等のラベル７を外装して、大径部６を比較的硬質な半殻部８に形成している。
【００２２】
また、反転ライン５から他方側（後側）半分である小径部９が、容易に弾性反転変形可能な反転部１０を構成している。
【００２３】
従って、この反転部１０は、内方への押圧により容易に弾性反転して、その全体が半殻部８内に陥没減容化変形し（図中、二点鎖線参照）、また、これに反対方向の力を加えて外方へ反転させることにより、容易に原形へ復元させることができる。
【００２４】
また、比較的硬質な半殻部８は、良好な座屈強度を有すると共に、把持し易い硬さを持っているので、通常の壜体と同様に把持取扱いをすることができ、従来の減容壜体のように、柔らかくて安定した把持ができないと云うことがない。
【００２５】
なお、ラベル７を紙製の肉厚かつ硬質物として構成した場合には、壜体として安定した形態を自己保持することができると共に、壜本体１の肉薄化をより促進することができ、この壜本体１の肉薄化の程度によっては、壜体の廃棄処理の取扱いが容易となる。
【００２６】
【発明の効果】
本発明は、上記した構成となっているので、以下に示す効果を奏する。
請求項１記載の発明にあっては、容器メーカーで成形された壜体は、反転部を半殻部内に反転陥没変形させることにより、肩部、胴部、底部の略半分が陥没変形し、また口筒部は半殻部側に設けてあるので、壜体全体を充分偏平に減容化させることができる。
【００２７】
また、この充分偏平に減容化変形した状態で取扱うことにより、その占有スペースを大幅に減少させることができ、もって内容液が充填されるまでの過程における保管、輸送等のコストを低減化することができると共に、取扱いを容易に効率良く行なうことができる。
【００２８】
そして、反転部を原形に復元させて、容器として使用された後の壜体は、再び反転部を陥没変形させて、充分偏平に減容化して廃棄処理を行なうことができるので、この使用後の壜体の減容化変形を、誰でも簡単にかつ充分偏平な状態に達成することができ、かつその廃棄処理を容易に効率良く行なうことができる。
【００２９】
さらに、半殻部の把持を安定的に達成できるので、壜体の把持取扱いを通常の壜体に対するのと同様に達成することができる。
【００３０】
胴部に外装するラベルを利用して半殻部を形成するので、半殻部を容易に、かつ低コストで形成することができると共に、ラベルの表示面積を広く取ることができるので、高い装飾効果および表示効果を得ることができる。
【００３１】
請求項２記載の発明にあっては、反転部の反転変形が無理なく適正に達成できるので、永久変形の発生による外観体裁の劣化がなく、安全な変形取扱い処理を得ることができる。
【００３２】
請求項３記載の発明にあっては、半殻部が高い自己形状保持力を発揮することになるので、減容化および復容化の取扱いが容易で安定して一定したものとすることができ、また壜本体の肉薄化が無理なく促進できるので、廃棄時の取扱いが簡単となると共に、省資源化効果を発揮することができる。
【図面の簡単な説明】
【図１】本発明の第一実施例を示す、全体側面図。
【図２】図１に示した実施例の、全体正面図。
【図３】図１に示した実施例の、一部を断面にした全体平面図。
【符号の説明】
１  ；  壜本体
２  ；  肩部
３  ；  胴部
４  ；  底部
５  ；  反転ライン
６  ；  大径部
７  ；  ラベル
８  ；  半殻部
９  ；  小径部
１０；  反転部
１１；  口筒部
１２；  キャップ
【図１】
0004273481.tif 000002
【図２】
0004273481.tif 000003
【図３】
0004273481.tif 000004